(57)【特許請求の範囲】
【請求項１】
ワイシャツ（１）の前立ての表側（２）には、ボタン（３）とボタン穴かがり部（４）とが既にボタン掛けされた姿で設けられており、
このワイシャツ（１）の前立ての下部分と、この前立ての裏側に重なるワイシャツ（１）の前身頃の下部分とが縫合されることで縫合部（６）が形成されており、
この縫合部（６）の上から衿元までのワイシャツ（１）の前立ての上部分と、この前立ての上部分の裏側に重なるワイシャツ（１）の前身頃の上部分とに線ファスナー（７）が設けられており、
長袖の袖口あきの両縁部のうち、一方の縁部の表面側には、ボタン（３）とボタン穴かがり部（４）とが既にボタン掛けされた姿で設けられており、
前記袖口あきの一方の縁部の裏面側と他方の縁部の表面側とには、伸縮性を有するバンド（８）を縫い付けてあって、そのバンド（８）によって袖口あきの両縁部どうしが連結されていることを特徴とするかぶり着する長袖のワイシャツ。
【請求項２】
前記袖口あきの両縁部どうしが雌雄一対の面ファスナー（１０）で連結されていることを特徴とする請求項１記載のかぶり着する長袖のワイシャツ。  
【発明の詳細な説明】
【技術分野】
【０００１】  本発明は、着脱が容易でしかも見た目スッキリに着こなせる短袖のワイシャツと長袖のワイシャツとに関する。
【背景技術】
【０００２】  オフィス街においては公共も民間もスーツ姿が主流であり、ワイシャツ、ネクタイ着用の機会が圧倒的に多く、高年齢者とか手の不自由な人達にとっては面倒この上なく、長袖のワイシャツを着る場合従来のワイシャツでは前ボタンをボタン穴に通すことと袖口のボタンを留めることに非常な困難を要する。そのためワイシャツ自身にさまざまな工夫がなされてきており、例えばシャツ前面の上前側にボタンとボタン穴かがりを設けてその裏面と下前側に面ファスナーを設けたシャツ（特許文献１参照）や袖口においてはボタンが生地にゴムもしくは伸縮性のある糸で取り付けられているゴムつきボタン（特許文献２参照）が提供されてきていた。【０００３】
【特許文献１】  特開２０００−３４５４０１号公報
【特許文献２】  特開２００２−２６６１３６号公報
【発明の開示】
【発明が解決しようとする課題】
【０００４】  しかしながら特許文献１のものは実際に着た場合、面ファスナー部分とそれ以外のところでは厚薄があり、正面から眺めると面ファスナーで接着した部分が盛り上がって波のようにうねっているため見た目スッキリしなかった。そこで発明者は面ファスナーの代わりにジップファスナーを用いて試着してみたが今度はシャツ両側の最下部のジップファスナーの右と左とを合わせることに非常に苦労を要した。また、袖口においてゴムつきボタンの場合はゴムが伸びた場合ボタンがボタン穴から外れてしまうケースが多々発生した。本発明はかかる問題点を解決することを目的として提供されたものである。
【課題を解決するための手段】
【０００５】  本発明は一つにはワイシャツ前面の表側にはボタンとボタン穴かがり部とが既にボタン掛けされた姿で設けられ、このワイシャツ前面の下部分とワイシャツ後面で前記ワイシャツ前面の下部分と重なり合う部分とが前記ワイシャツ表面端部で縫合され、この縫合部の上から衿元までこの既にボタン掛けされた姿の生地裏面側の奥部とこれに対応する他方側の端部とに線のファスナーが設けられ、この線のファスナーを上まで上げることにより通常ワイシャツで下から上までボタン掛けされた状態と同じ格好に見えるように構成されているかぶり着する短袖のワイシャツおよび長袖のワイシャツであり、もう一つはワイシャツ前面の表側にはボタンとボタン穴かがり部とが既にボタン掛けされた姿で設けられ、このワイシャツ前面の下部分とワイシャツ後面で前記ワイシャツ前面の下部分と重なり合う部分とが前記ワイシャツ表面端部で縫合され、この縫合部の上から衿元までこの既にボタン掛けされた姿の生地裏面側の奥部とこれに対応する他方側の端部とに線のファスナーが設けられ、しかも長袖の袖口においてもボタンとボタン穴かがり部とが既にボタン掛けされた姿で表面側に設けられ、ボタン掛け部の裏面部生地と袖口下側の表面側または裏面側の生地とが伸縮性を有するバンドまたは紐や糸で連結され手を通す時には伸びて広がり、通した後は元通りにすぼまっているかぶり着する長袖のワイシャツであり、もう一つはワイシャツ前面の表側にはボタンとボタン穴かがり部とが既にボタン掛けされた姿で設けられ、このワイシャツ前面の下部分とワイシャツ後面で前記ワイシャツ前面の下部分と重なり合う部分とが前記ワイシャツ表面端部で縫合され、この縫合部の上から衿元までこの既にボタン掛けされた姿の生地裏面側の奥部とこれに対応する他方側の端部とに線のファスナーが設けられ、しかも長袖の袖口においてもボタンとボタン穴かがり部とが既にボタン掛けされた姿で表面側に設けられ、この袖口ボタン掛け部の裏面部とこの裏面部に対応する袖口下側の表面側とに雌雄一対の面ファスナーがそれぞれ設けられ、更に袖口カフス部根元でボタン掛け部の裏面部と袖口下側の表面側または裏面側とが伸縮性を有するバンドまたは紐や糸で連結され手を通す時には伸びて広がり、通した後は元通りにすぼまっているかぶり着する長袖のワイシャツである。【０００６】  ここでいうワイシャツ前面の表側にはボタンとボタン穴かがり部とが既にボタン掛けされた姿というのはワイシャツを装着した後の姿であり、この姿にする方法としては２通りの方法があり、その一つはあらかじめ穴かがり部のついたワイシャツ前面生地の裏側からあらかじめボタンのみが付けられた生地をあてすべてボタン掛けさせた上で両者を一旦縫合し、その後このワイシャツ前面の下部分とワイシャツ後面で前記ワイシャツ前面の下部分と重なり合う部分とを前記ワイシャツ表面端部で縫合する方法と、もう一つは線のファスナーが設けられる上半分にのみ裏側からあらかじめボタンのみが付けられた生地をあてすべてボタン掛けさせて両者を一旦縫合し、下半分は従来通り実際にワイシャツ後面の表面に設けられたぼたんをワイシャツ前面に設けられた穴かがり部に通してボタン掛けし、その後下半分のワイシャツ表面��部で縫合するという方法の２通りがあり、本発明はこの２通りのうちのいずれであっても良く、両者を包含しているものである。【０００７】  また、この縫合部は全体長さの約半分を目安にしているが人によって好みも異なるためそれより多少長めあるいは多少短めのいずれであっても良く、かぶるようにして着ることが出来れば長さは特に限定するものではない。また本発明は名称をワイシャツとしたがワイシャツ同様の正面形状のもの例えば襟付きシャツやパジャマなども包含する。【０００８】  また、ここでいう衿元とは第１ボタンの裏部までを含むものであっても衿部を形成する布の下部分までのいずれであっても良く、後者の場合の第１ボタン裏部のみファスナーは面ファスナーにすればよい。【０００９】  また伸縮性を有するバンドまたは紐や糸とは例えばゴム製のバンドや紐などであり、特にシリコンゴムは高い反発弾性や耐候性を有し、薄くても引っ張り強度を備えているため好ましい。また、袖口においてはボタン掛け部裏面部生地のどの位置にゴムバンドなどを縫合するかによって面ファスナーを用いるか用いないかを選択決定すれば良い。要は袖通しをした際に上下の袖口部が一致することである。
【発明の効果】
【００１０】  本発明のワイシャツはあらかじめボタンとボタン穴かがり部とが既にボタン掛けされた格好で取り付けされているためボタンを掛け違いすることがなく、肌着のシャツ同様に両袖を通してかぶりながら着るため、裾部分をズボンの中へ押し込むようにするだけで表に出た部分をシャンと張らせることが出来、その後はファスナーを衿元まで上げるだけで済むため正面から眺めてボタン掛け部が波打つこともなく、片手で操作ができる上に着脱が容易であり、また袖通しする際にはボタンがボタン穴から外れることは決して無いし、袖口の上下の生地が伸縮性を有するバンドまたは紐や糸で連結されているため手を通す場合は広がって手を通した後は元通りの位置に戻るし、また、あらかじめボタンとボタン穴かがり部とが既にボタン掛けされた格好に構成された部分は生地が既に２重以上になっているため伸縮性を有するバンドまたは紐や糸を縫い付けするのは最も内部側の生地であるため表側からはそれらの縫い目が全く見えなく、他方側は元々ボタン掛け部分のある上側の生地により隠されるため、見た目スッキリに着こなせるという効果がある。
【発明を実施するための最良の形態】
【００１１】  本発明のかぶり着する短袖のワイシャツと長袖のワイシャツの実施例を図に基づいて説明すると、図１は本発明かぶり着する短袖および長袖のワイシャツの主要部を示す説明図、図２はかぶり着する長袖のワイシャツの装着後の状態を示す説明図で、図３は実施例２の手を通す際広がる袖口の状況を説明する説明図であり、図４は実施例３の手を通す際広がる袖口の状況を説明する説明図である。【００１２】  実施例１の構成は図１、２に示すようにワイシャツ１前面の表側２にはボタン３とボタン穴かがり部４とが既にボタン掛けされた姿で設けられ、このワイシャツ１前面の下部分とワイシャツ後面でワイシャツ１前面の下部分と重なり合う部分とがワイシャツ１の表面端部で縫合され、この縫合部６の上から衿元までこの既にボタン掛けされた姿の生地裏面５側の奥部とこれに対応する他方側の端部とに線のファスナー７が設けられ、この線のファスナー７を上まで上げることにより図２に示すように通常ワイシャツでボタン掛けされた状態と同じ格好に見えるように構成されているかぶり着する短袖および長袖のワイシャツである。【００１３】  実施例２は長袖のワイシャツで、その構成は図１と図３とを合わせたものでありワイシャツ前面は実施例１と同様の構成のものであり、袖口については上側になる袖口の表側にボタン３とボタン穴かがり部４とが既にボタン掛けされた姿で設けられ、このボタン３とボタン穴かがり部４とが既にボタン掛けされた姿の裏面部生地と袖口下側の表面側の生地とがシリコンゴムバンド８を介して縫合され通常時は袖口の表側からは見えないように縫い付けされてなるかぶり着する長袖のワイシャツである。袖口に手が通る場合には図３に示すように袖口が広がり、通った後は図２に示すように通常と同じすぼまった格好になる。【００１４】  実施例３は長袖のワイシャツで、その構成は図１と図４とを合わせたものであり、ワイシャツ前面は実施例１と同様の構成のものであり、袖口については上側になる袖口の表側にボタン３とボタン穴かがり部４とが既にボタン掛けされた姿で設けられ、この袖口ボタン掛け部の裏面部とこの裏面部に対応する袖口下側の表面側とに雌雄一対の面ファスナー１０がそれぞれ設けられ、更に袖口カフス部根元９でボタン掛け部の裏面部と袖口下側の表面側とがシリコンゴムバンド８で縫合連結されているかぶり着する長袖のワイシャツである。袖口に手が通る場合には図４に示すように袖口が広がり、通った後は図２に示すように通常と同じすぼまった格好になる。実施例３は実施例２に比べて袖口の重ね合わせが正確でより美しくなる。
【図面の簡単な説明】【００１５】
【図１】  短袖および長袖のワイシャツの主要部を示す説明図
【図２】  長袖ワイシャツ装着後の状態を示す説明図
【図３】  実施例２の袖口に手を通す際の袖口が開いた状態を示す説明図
【図４】  実施例３の袖口に手を通す際の袖口が開いた状態を示す説明図
【符号の説明】
【符号の説明】
【００１６】    １  ワイシャツ
２  ワイシャツ前面の表側
３  ボタン
４  ボタン穴かがり部
５  ワイシャツ前面の裏側
６  縫合部
７  線のファスナー
８  シリコンゴムバンド
９  カフス部根元
１０  面ファスナー
【図１】
0004752070.tif 000002
【図２】
0004752070.tif 000003
【図３】
0004752070.tif 000004
【図４】
0004752070.tif 000005